(57)【要約】【課題】  撮像光学系の姿勢や動き等に起因するピントずれを簡易な構成で補正する。【解決手段】  フォーカス制御装置は、変倍レンズ１およびフォーカスレンズ２を含む撮像光学系の合焦被写体距離を保持するためのフォーカス制御を行う制御手段１６と、変倍レンズの単位移動量と撮像光学系の像面の移動量との関係を示すレンズ敏感度の情報と変倍およびフォーカスレンズの停止位置の誤差量の情報とを用いてピントずれ量を算出する算出手段１６とを有する。制御手段は、フォーカス制御において、ピントずれ量に基づいて制限した移動範囲内でフォーカスレンズを移動させる。【選択図】  図１
2018124527.tif 000002
【特許請求の範囲】
【請求項１】
変倍レンズおよびフォーカスレンズを含む撮像光学系の合焦する被写体距離を保持するためのフォーカス制御を行う制御手段と、
前記変倍レンズの単位移動量と前記撮像光学系の像面の移動量との関係を示すレンズ敏感度の情報と前記変倍およびフォーカスレンズの停止位置の誤差量の情報とを用いてピントずれ量を算出する算出手段とを有し、
前記制御手段は、前記フォーカス制御において、前記ピントずれ量に基づいて制限した移動範囲内で前記フォーカスレンズを移動させることを特徴とするフォーカス制御装置。
【請求項２】
前記停止位置の誤差量は、前記変倍レンズおよび前記フォーカスレンズをそれぞれ保持するレンズ保持部材と、前記レンズ保持部材に係合して該レンズ保持部材の移動をガイドするガイド部材との係合ギャップ量に基づいて取得されることを特徴とする請求項１に記載のフォーカス制御装置。
【請求項３】
前記制御手段は、前記合焦する被写体距離を固定するモードが設定された場合に前記フォーカス制御を行うことを特徴とする請求項１または２に記載のフォーカス制御装置。
【請求項４】
前記制御手段は、前記撮像光学系のズーム倍率を固定し、かつ前記合焦する被写体距離を固定するモードが設定された場合に前記フォーカス制御を行うことを特徴とする請求項１または２に記載のフォーカス制御装置。
【請求項５】
前記制御手段は、前記撮像光学系のパン動作、チルト動作またはズーム動作が行われた際に前記フォーカス制御を行うことを特徴とする請求項１または２に記載のフォーカス制御装置。
【請求項６】
前記制御手段は、
前記変倍レンズが移動する際に、該前記変倍レンズの移動に伴う前記像面の移動を低減するように前記フォーカスレンズを移動させるズームトラッキング制御を行い、
前記フォーカス制御を前記ズームトラッキング制御を行う場合に行うことを特徴とする請求項１または２に記載のフォーカス制御装置。
【請求項７】
前記制御手段は、前記フォーカス制御装置が再起動された場合に前記フォーカス制御を行うことを特徴とする請求項１または２に記載のフォーカス制御装置。
【請求項８】
前記制御手段は、前記ピントずれ量が前記撮像光学系の被写界深度を超えていない場合は前記フォーカス制御を行わないことを特徴とする請求項１から７のいずれか一項に記載のフォーカス制御装置。
【請求項９】
前記制御手段は、前記撮像光学系により形成された被写体像を光電変換する撮像素子を用いて生成される映像信号を用いて前記フォーカス制御を行うことを特徴とする請求項１から８のいずれか一項に記載のフォーカス制御装置。
【請求項１０】
撮像光学系により形成された被写体像を光電変換する撮像素子と、
請求項１から９のいずれか一項に記載のフォーカス制御装置とを有することを特徴とする撮像装置。
【請求項１１】
変倍レンズおよびフォーカスレンズを含む撮像光学系の合焦する被写体距離を保持するためのフォーカス制御を行うステップと、
前記変倍レンズの単位移動量と前記撮像光学系の像面の移動量との関係を示すレンズ敏感度の情報と前記変倍およびフォーカスレンズの停止位置の誤差量の情報とを用いてピントずれ量を算出するステップとを有し、
前記フォーカス制御において、前記ピントずれ量に基づいて制限した移動範囲内で前記フォーカスレンズを移動させることを特徴とするフォーカス制御方法。
【請求項１２】
フォーカスレンズを含む撮像光学系の合焦する被写体距離を保持するためのフォーカス制御を行う制御手段と、
前記撮像光学系の温度を検出する温度検出手段とを有し、
前記制御手段は、基準温度からの前記温度の変化量が所定の温度変化量より大きくなったときに、前記フォーカス制御において、前記温度の変化量に応じて制限した移動範囲内で前記フォーカスレンズを移動させることを特徴とするフォーカス制御装置。
【請求項１３】
前記前記温度の変化量に基づいて温度が上昇する傾向か下降する傾向かを判定する判定手段を有し、
前記制御手段は、前記判定手段の判定結果に基づいて、前記フォーカスレンズの駆動方向を決定することを特徴とする請求項１２に記載のフォーカス制御装置。
【請求項１４】
前記制御手段は、前記駆動方向に基づいて、前記フォーカスレンズの駆動範囲を変更することを特徴とする請求項１３に記載のフォーカス制御装置。
【請求項１５】
前記制御手段は、
前記温度の変化量に応じて、前記フォーカス制御を行うことなく前記合焦する被写体距離を保持する方向に前記フォーカスレンズを移動させる第１の温度ピント補正と、
前記第１の温度ピント補正により移動した前記フォーカスレンズの位置を含む前記移動範囲内で前記フォーカス制御により前記フォーカスレンズを移動させる第２の温度ピント補正とを行うことを特徴とする請求項１２から請求項１４のいずれか１項に記載のフォーカス制御装置。
【請求項１６】
前記制御手段は、前記第１の温度ピント補正により移動した前記フォーカスレンズの位置に対して設定する移動リミット位置で前記移動範囲を制限することを特徴とする請求項１５に記載のフォーカス制御装置。
【請求項１７】
前記制御手段は、前記変倍レンズの位置および前記合焦する被写体距離のうち少なくとも１つに応じて前記移動リミット位置を変更することを特徴とする請求項１６に記載のフォーカス制御装置。
【請求項１８】
前記撮像光学系は変倍レンズを含み、
前記制御手段は、
前記変倍レンズが移動する際に、該変倍レンズの移動に伴う前記像面の移動を低減するように電子カムデータに従って前記フォーカスレンズを移動させるズームトラッキング制御を行い、
前記温度の変化量が所定の温度変化量より大きくなったときに、前記第１および第２の温度ピント補正による前記フォーカスレンズの移動を含むように生成した前記電子カムデータを用いて前記ズームトラッキング制御を行うことを特徴とする請求項１５に記載のフォーカス制御装置。
【請求項１９】
前記制御手段は、前記合焦する被写体距離を固定するモードが設定された場合に前記フォーカス制御を行うことを特徴とする請求項１２から請求項１８のいずれか一項に記載のフォーカス制御装置。
【請求項２０】
前記制御手段は、前記所定の温度変化量を前記温度の変化率、前記撮像光学系の傾き角度、前記撮像光学系の積算レンズ駆動回数のうち少なくとも１つに応じて変更することを特徴とする請求項１２から請求項１７のいずれか１項に記載のフォーカス制御装置。
【請求項２１】
前記制御手段は、前記電子カムデータの傾きに応じて変更することを特徴とする請求項１８に記載のフォーカス制御装置。
【請求項２２】
前記撮像光学系はズーム倍率の変更が可能であり、
前記制御手段は、前記ズーム倍率が所定ズーム倍率より小さい場合および前記撮像光学系の絞り値が所定絞り値より小さい場合のうち少なくとも一方において前記フォーカス制御を行わないことを特徴とする請求項１２から２１のいずれか一項に記載の撮像装置。
【請求項２３】
前記制御手段は、前記撮像光学系により形成された被写体像を光電変換する撮像素子を用いて生成される映像信号を用いて前記フォーカス制御を行うことを特徴とする請求項１２から２２のいずれか一項に記載のフォーカス制御装置。
【請求項２４】
前記制御手段は、前記撮像素子のゲインが所定レベルより高い場合および前記映像信号から得られるコントラスト評価値が所定評価値より低い場合のうち少なくとも一方において前記フォーカス制御を行わないことを特徴とする請求項２３に記載の撮像装置。
【請求項２５】
撮像光学系により形成された被写体像を光電変換する撮像素子と、
請求項１２から２４のいずれか一項に記載のフォーカス制御装置とを有することを特徴とする撮像装置。
【請求項２６】
フォーカスレンズを含む撮像光学系の合焦する被写体距離を保持するためのフォーカス制御を行うステップと、
前記撮像光学系の温度を検出するステップとを有し、
基準温度からの前記温度の変化量が所定の温度変化量より大きくなったときに、前記フォーカス制御において、前記温度の変化量に応じて制限した移動範囲内で前記フォーカスレンズを移動させることを特徴とするフォーカス制御方法。
【請求項２７】
撮像光学系の温度の変化に応じて該撮像光学系に含まれるフォーカスレンズを移動させる少なくとも１種類の温度ピント補正を行うことが可能なフォーカス制御装置に通信可能に接続される温度補正設定装置であって、
前記少なくとも１種類の温度ピント補正のうち前記フォーカス制御装置に行わせる温度ピント補正をユーザに選択させる選択手段と、
選択された前記温度ピント補正を前記フォーカス制御装置に対して設定する設定手段とを有することを特徴とする温度補正設定装置。
【請求項２８】
前記フォーカス制御装置は、
前記撮像光学系の合焦する被写体距離を保持するためのフォーカス制御を行うことが可能であるとともに、
前記温度の変化量に応じて、前記フォーカス制御を行うことなく前記合焦する被写体距離を保持する方向に前記フォーカスレンズを移動させる第１の温度ピント補正と、前記第１の温度ピント補正により移動した前記フォーカスレンズの位置を含む前記移動範囲内で前記フォーカス制御により前記フォーカスレンズを移動させる第２の温度ピント補正と、前記第１および第２の温度ピント補正を含む第３の温度ピント補正のうち少なくとも１種類の温度ピント補正を行うことが可能であり、
前記設定手段は、前記少なくとも１種類の温度ピント補正のうち前記選択手段により選択された温度ピント補正を前記フォーカス制御装置に対して設定することを特徴とする請求項２７に記載の温度補正設定装置。
【請求項２９】
前記設定手段は、前記撮像光学系が前記少なくとも１種類の温度ピント補正に対応するか否かを判定し、対応する場合に前記選択手段により選択された前記温度ピント補正を前記フォーカス制御装置に対して設定することを特徴とする請求項２７または２８に記載の温度補正設定装置。
【請求項３０】
レンズ交換機構を有し、
レンズの種別に基づいて、前記ピントずれ量を変更することを特徴とする請求項１に記載のフォーカス制御装置。
【発明の詳細な説明】
【技術分野】
【０００１】
本発明は、撮像装置においてオートフォーカス（ＡＦ）制御を行うフォーカス制御装置に関する。
【背景技術】
【０００２】
撮像装置には、被写体に対して撮像光学系のピントが合うフォーカスレンズの位置を制御するＡＦ制御を行うものがある。また、撮像装置には、ズーム（変倍）が可能な撮像光学系のズーム位置ごとに複数の被写体距離のそれぞれに対してピントが合うフォーカスレンズの位置を示す電子カムデータを記憶したメモリを有するものがある。この撮像装置では、ズームが行われた際に電子カムデータを用いてフォーカスレンズの位置を制御するズームトラッキングを行うことで、ズーム位置が変わっても同じ距離の被写体に対してピントを合わせ続ける、すなわちピント位置を固定することができる。
【０００３】
ただし、上記のようにピント位置を固定しても、撮像装置の姿勢が変わったり撮像装置に振動が加わったりすると、機械的なガタによってフォーカスレンズの位置が変化してぼけ（ピントずれ）が発生する。また、温度変化による撮像光学系または撮像装置の膨張や収縮によってもぼけが発生する。
【０００４】
これらのぼけを補正するためには、該ぼけの量に応じてフォーカスレンズの位置を補正する必要がある。ただし、機械的なガタや温度変化によるぼけ量は撮像光学系や撮像装置の個体ごとに異なるため、一律の補正量を用いてフォーカスレンズの位置を補正してもぼけを良好に補正することができない場合がある。
【０００５】
特許文献１には、撮像装置の起動時とＡＦ時における姿勢差に起因するぼけ量を予め測定して記憶しておき、実際のＡＦ時に検出した姿勢に応じたぼけ量を補正するようにフォーカスレンズの位置を制御する撮像装置が開示されている。また、特許文献２には、温度センサより検出した温度の変化に起因するぼけを補正するためにＡＦ制御を行う撮像装置が開示されている。
【先行技術文献】
【特許文献】
【０００６】
【特許文献１】特開２０１４−１０６３２４号公報
【特許文献２】特開２０１２−１２８３１４号公報
【発明の概要】
【発明が解決しようとする課題】
【０００７】
しかしながら、特許文献１にて開示された撮像装置では、該撮像装置の姿勢を検出するセンサが必要になる。また、特許文献２にて開示された撮像装置では、温度変化に起因するぼけを補正するためのＡＦ制御によって本来の被写体とは異なる被写体にピントが合う（すなわち、被写体移りが生ずる）おそれがある。
【０００８】
本発明は、撮像光学系（撮像装置）の姿勢、動きおよび温度変化等に起因するピントずれを簡易な構成で良好に補正することができるようにしたフォーカス制御装置等を提供する。
【課題を解決するための手段】
【０００９】
本発明の一側面としてのフォーカス制御装置は、変倍レンズおよびフォーカスレンズを含む撮像光学系の合焦被写体距離を保持するためのフォーカス制御を行う制御手段と、変倍レンズの単位移動量と撮像光学系の像面の移動量との関係を示すレンズ敏感度の情報と変倍およびフォーカスレンズの停止位置の誤差量の情報とを用いてピントずれ量を算出する算出手段とを有する。そして、制御手段は、フォーカス制御において、ピントずれ量に基づいて制限した移動範囲内でフォーカスレンズを移動させることを特徴とする。
【００１０】
また、本発明の他の一側面としてのフォーカス制御装置は、フォーカスレンズを含む撮像光学系の合焦被写体距離を保持するためのフォーカス制御を行う制御手段と、撮像光学系の温度を検出する温度検出手段とを有する。そして、制御手段は、基準温度からの温度の変化量が所定の温度変化量より大きくなったときに、フォーカス制御において、該温度の変化量に応じて制限した移動範囲内でフォーカスレンズを移動させることを特徴とする。
【００１１】
なお、撮像光学系により形成された被写体像を光電変換する撮像素子と、上記フォーカス制御装置とを有する撮像装置も、本発明の他の一側面を構成する。
【００１２】
さらに、本発明の他の一側面としての温度補正設定装置は、撮像光学系の温度の変化に応じて該撮像光学系に含まれるフォーカスレンズを移動させる少なくとも１種類の温度ピント補正を行うことが可能なフォーカス制御装置に通信可能に接続される。該温度補正設定装置は、上記少なくとも１種類の温度ピント補正のうちフォーカス制御装置に行わせる温度ピント補正をユーザに選択させる選択手段と、選択された温度ピント補正をフォーカス制御装置に対して設定する設定手段とを有することを特徴とする。
【発明の効果】
【００１３】
本発明によれば、撮像光学系の姿勢、動きおよび温度変化に起因するピントずれを簡易な構成で良好に補正することができる。
【図面の簡単な説明】
【００１４】
【図１】本発明の実施例１である撮像装置の構成を示すブロック図。
【図２】実施例１におけるズームトラッキングカーブを示す図。
【図３】実施例１におけるレンズ鏡筒の構成を示す図。
【図４】実施例１におけるズーム位置とフォーカス敏感度との関係を示す図。
【図５】実施例１の撮像装置の外観を示す図。
【図６】実施例１におけるピント位置固定モードでのフォーカス制御処理を示す図。
【図７】実施例１におけるフォーカス制御処理を示すフローチャート。
【図８】本発明の実施例２におけるフォーカス制御処理を示すフローチャート。
【図９】本発明の実施例３である撮像装置の構成を示すブロック図。
【図１０】実施例３における温度ピント補正処理を示す図。
【図１１】実施例３における温度ピント補正時に用いられるズームトラッキングカーブの補正例を示す図。
【図１２】実施例３におけるフォーカス制御処理を示すフローチャート。
【図１３】本発明の実施例４である撮像装置の構成を示すブロック図。
【図１４】実施例４における温度ピント補正モードの設定メニュー画面を示す図。
【図１５】実施例４における温度ピント補正モードの設定処理を示すフローチャート。
【図１６】実施例４におけるフォーカスモード切替えスイッチを示す図。
【図１７】実施例５において、補正方向と反対方向へフォーカスレンズを駆動した場合と補正方向へフォーカスレンズを駆動した場合のＡＦ制御を比較する図。
【図１８】個体温度ピント補正における補正方向を推定する方法を説明する図。
【図１９】実施例４におけるフォーカス制御処理を示すフローチャート。
【発明を実施するための形態】
【００１５】
以下、本発明の実施例について図面を参照しながら説明する。
【実施例１】
【００１６】
図１は、本発明の実施例１である撮像装置の構成を示している。撮像装置は、そのレンズ鏡筒（図示せず）内に撮像光学系を備えている。撮像光学系は、複数の光学素子により構成され、物体（被写体）の光学像を形成する。なお、本実施例の撮像装置は、撮像光学系（レンズ鏡筒）を一体に有するレンズ一体型撮像装置であるが、撮像光学系の交換が可能なレンズ交換型撮像装置であってもよい。このことは、後述する他の実施例でも同じである。
【００１７】
撮像光学系は、光軸方向に移動して焦点距離を変更する変倍レンズ１と、光軸方向に移動して焦点調節を行うフォーカスレンズ２と、光量を調整する絞りユニット３とを有する。撮像光学系を通過した光は、バンドパスフィルタ（以下、ＢＰＦという）４およびカラーフィルタ５を介して撮像素子６上に光学像としての被写体像を形成する。ＢＰＦ４は撮像光学系の光路に対し進退可能である。被写体像は、撮像素子６により光電変換される。
【００１８】
撮像素子６から出力されたアナログ電気信号（撮像信号）は、ＡＧＣ７によりゲイン調整され、Ａ／Ｄ変換器８によりデジタル信号に変換された後、カメラ信号処理部９に入力される。カメラ信号処理部９では、デジタル撮像信号に対して各種画像処理を行って映像信号を生成する。映像信号は、通信部１０を介して撮像装置に有線または無線通信が可能に接続された監視モニタ装置１９に出力されるとともに、撮像装置内のズーム／フォーカス制御部１６に出力される。ズーム／フォーカス制御部１６は、ズーミング時に後述する電子カム曲線のデータを用いてズームトラッキング制御を行うとともに、映像信号から算出したその映像信号のコントラスト状態を示すコントラスト評価値を用いてオートフォーカス（ＡＦ）制御を行う。ズーム／フォーカス制御部１６は、制御手段および算出手段を含むフォーカス制御装置に相当する。
【００１９】
図２を用いてズームトラッキング制御について説明する。図２は、テレ端（望遠端）からワイド端（広角端）までの間での変倍レンズ１の位置（横軸）と無限遠から至近までの各被写体距離に対して合焦するフォーカスレンズ２の位置（縦軸）との関係を示す。この関係を示す各曲線は、電子カム曲線やズームトラッキングカーブと称され、以下の説明では電子カム曲線という。ズームトラッキング制御では、ある被写体距離に合焦した状態で変倍レンズ１の移動によりズーミングが行われる際に該被写体距離に対応する電子カム曲線に沿った位置にフォーカスレンズ２を移動させる。言い換えれば、変倍レンズ１の移動に伴う像面（ピント面）の移動を低減（補正）するようにフォーカスレンズ２を移動させる。これにより、合焦状態が得られる被写体距離である合焦被写体距離を保持したまま、すなわちピント位置を固定したままズーミングを行うことができる。
【００２０】
被写体距離ごとの電子カム曲線を示すデータ（以下、電子カムデータという）は、テーブルデータ形式で記憶手段としてのカムデータ保持部１１に保持される。なお、カムデータ保持部１１に保持される電子カムデータは、図２に示すように複数の代表的な被写体距離（以下、特定被写体距離という）に対応するデータである。このため、特定被写体距離以外の他の被写体距離でのフォーカスレンズ２の位置は、該他の被写体距離に近い至近側と無限遠側の２つの特定被写体距離に対応する電子カムデータを用いた補間処理により算出される。
【００２１】
カムデータ保持部１１は、ズーム／フォーカス制御部１６から変倍レンズ１の位置（以下、ズーム位置という）とフォーカスレンズ２の位置（以下、フォーカス位置という）の情報を受け取る。そして、テーブルデータからズーム位置とフォーカス位置（つまりはそのズーム位置での合焦被写体距離）に対応した電子カムデータを選択または補間処理により算出する。
【００２２】
ピント固定データ保持部１２は、合焦被写体距離であるピント位置を固定するモードであるピント位置固定モードのオン／オフおよびピント位置固定モードにおいて選択されたモードを示すモード情報を保持する。また、ピント固定データ保持部１２は、固定するピント位置を示すピント位置情報も保持する。ピント位置固定モードには、ピント位置を無限遠に固定する無限遠ピント固定モードと、ピント位置を無限遠から至近までのユーザより任意に選択（登録）された登録ピント位置（被写体距離）に固定する登録位置ピント固定モードの２つがある。これらモード情報およびピント位置情報は、ユーザ（監視者）が操作する監視モニタ装置１９からの通信によって通信部１０およびズーム／フォーカス制御部１６を介してピント固定データ保持部１２に書き込まれる。
【００２３】
がたデータ保持部１３は、レンズ鏡筒が有する「がた」の最大量、すなわちレンズ鏡筒の最大がた量を示す情報を保持する。図３は、レンズ鏡筒の内部構成の例を示している。変倍レンズ１やフォーカスレンズ２を保持するレンズ保持枠（レンズ保持部材）ＰにはスリーブＰ１が形成されている。スリーブＰ１の両端部に形成された穴部がガイド部材であるガイドバーＰ２に係合することで、レンズ保持枠ＰがガイドバーＰ２に沿って光軸方向に移動可能にガイドされる。スリーブＰ１の穴部の内径とガイドバーＰ２の外径との間には、レンズ保持枠がスムーズに移動できるように数μｍの差（係合ギャップ量）が設けられている。この係合ギャップ量とスリーブＰ１の両端部間の距離とから、撮像装置の姿勢の変化やレンズ駆動等に伴ってレンズ保持枠Ｐにより保持されたレンズに発生する最大倒れ量（角度）を計算することができる。
【００２４】
そして、本実施例では、この最大倒れ量から、レンズ中心（光軸位置）でのレンズの最大位置ずれ量を算出し、この最大位置ずれ量を最大がた量とする。本実施例では、スリーブＰ１の穴部とガイドバーＰ２との間に必要なギャップを「がた」として扱い、これを変倍レンズ１やフォーカスレンズ２の停止位置誤差（以下、レンズ停止位置誤差という）の要因とする。ただし、各レンズを駆動するための部品の製造誤差や各レンズの駆動制御上の誤差を上記要因に含めることができる。本実施例における「レンズ鏡筒の最大がた量」は、変倍レンズ１およびフォーカスレンズ２のそれぞれの最大がた量の合計値であり、言い換えれば、変倍レンズ１およびフォーカスレンズ２の停止位置誤差量の最大値である。
【００２５】
レンズ敏感度データ保持部１４は、カムデータ保持部１１と同様に、ズーム／フォーカス制御部１６からズーム位置およびフォーカス位置の情報を受け取り、ズーム位置とフォーカス位置（被写体距離）に対応するレンズ敏感度を算出する。本実施例におけるレンズ敏感度とは、変倍レンズ１の単位移動量と撮像光学系の像面（ピント面）の移動量との関係（例えば比）を表し、ズーム位置とフォーカス位置に応じて変化する。
【００２６】
レンズ敏感度データ保持部１４にて保持されたレンズ敏感度のデータも、上述した複数の特定被写体距離に対して合焦状態が得られるフォーカス位置（以下、特定フォーカス位置という）に対応するデータのみである。レンズ敏感度データ保持部１４は、特定フォーカス位置以外の他のフォーカス位置に対するレンズ敏感度としては、該他のフォーカス位置に近い至近側と無限遠側の２つの特定フォーカス位置に対応するレンズ敏感度のうち大きい方を選択する。
【００２７】
図４は、ズーム倍率が２０倍〜３０倍の撮像光学系のレンズ敏感度の例を示している。ズーム位置がＸの位置を超えたあたりから急激にレンズ敏感度が高くなっている。レンズ敏感度を小さくするためには、図５に示すようにレンズ鏡筒を含む撮像装置の全長Ｑ１を長くする必要がある。このため、撮像装置の小型化および高ズーム倍率化を実現するためには、レンズ敏感度が大きくなることを許容する必要がある。
【００２８】
ズーム／フォーカス制御部１６は、がたデータ保持部１３から最大がた量の情報（データ）を取得し、レンズ敏感度データ保持部１４からズーム位置およびフォーカス位置に対応するレンズ敏感度の情報（データ）を取得する。そして、ピントずれ量を以下の式（１）を用いて求める。
ピントずれ量＝レンズ敏感度（ｚ＋ｈ，ｆ）×（レンズ鏡筒の最大がた量）  ・・・（１）
【００２９】
ここで、レンズ敏感度（ｚ＋ｈ）は、ズーム駆動のヒステリシスを考慮して、レンズ敏感度が高くなる方向にヒステリシス分を加算したズーム位置を基準に算出する。なお、式（１）ではレンズ鏡筒の最大がた量を用いてピントずれ量を算出するが、必ずしも最大がた量を用いる必要はなく、最大がた量に基づいて適宜設定されたがた量を用いてもよい。
【００３０】
被写界深度データ保持部１５は、基準となる被写界深度のデータとして、絞り開放かつ無限遠被写体距離におけるズーム位置ごとの被写界深度のデータを保持している。被写界深度は、フォーカス位置を中心として合焦状態が得られているように見える被写体距離の範囲である。被写界深度データ保持部１５は、ズーム／フォーカス制御部１６からズーム位置の情報と絞りユニット３の絞り値を示す情報を取得する。そして、取得したズーム位置での基準被写界深度と取得した絞り値とから、これらズーム位置および絞り値に対応する被写界深度のデータを以下の式（２）を用いて求める。
被写界深度（ｚ，Ｆ）＝基準被写界深度（ｚ）×絞り値  ・・・（２）
【００３１】
なお、ここでは被写体距離を無限遠に固定した場合の被写界深度のデータを求めて保持するが、カムデータ保持部１１と同様に、被写体距離ごとの被写界深度のデータをテーブルデータとして保持してもよい。
【００３２】
ズーム／フォーカス制御部１６は、ユーザが監視モニタ装置１９からの通信によってピント固定データ保持部１２のモード情報を変更したタイミングで、式（１）により算出したピントずれ量と式（２）を用いて算出した被写界深度とを比較する。ピントずれ量が被写界深度よりも大きい場合は、±ピントずれ量の範囲、すなわちピントずれ量に基づいて制限した移動範囲内でフォーカス駆動部１７を介してフォーカスレンズ２を駆動することで合焦状態を得るＡＦ制御を行う。
【００３３】
図６は、ピント位置固定モードにおいてズーム／フォーカス制御部１６が撮像光学系の合焦被写体距離を保持するために行うＡＦ制御の例を示す。無限遠ピント固定モードおよび登録位置ピント固定モードではそれぞれ、４つのステップでＡＦ制御を行う。ズーム／フォーカス制御部１６は、ステップ１では、無限遠位置または登録ピント位置に対応するフォーカス位置（以下、登録フォーカス位置という）までフォーカスレンズ２を駆動する。次にステップ２では、無限遠位置または登録フォーカス位置から無限遠側に合焦位置をサーチするように最大がた量に相当する駆動量だけフォーカスレンズ２を駆動する。サーチされる合焦位置は、上述したコントラスト評価値が最大となる位置である。
【００３４】
続いてステップ３では、ステップ２で駆動したフォーカスレンズ２の位置から至近側に合焦位置をサーチするように最大がた量×２に相当する駆動量だけフォーカスレンズ２を駆動する。最後のステップ４では、サーチにより検出した合焦位置にフォーカスレンズ２を駆動する。
【００３５】
図７のフローチャートには、ズーム／フォーカス制御部１６が登録位置ピント固定モードにおいて行う上記ＡＦ制御処理（フォーカス制御方法）の流れを示している。コンピュータであるズーム／フォーカス制御部１６は、コンピュータプログラムとしてのフォーカス制御プログラムに従って本処理を実行する。また、ズーム／フォーカス制御部１６は、監視モニタ装置１９からの通信によりピント固定データ保持部１２のモード情報が登録位置ピント固定モードに変更された又は撮像装置が登録位置ピント固定モードで起動もしくは再起動されたタイミングで本処理を開始する。
【００３６】
ステップＳ７０１では、ズーム／フォーカス制御部１６は、ピント固定データ保持部１２から登録フォーカス位置を取得し、該登録フォーカス位置までフォーカスレンズ２を移動させるようにフォーカス駆動部１７に指示する。登録フォーカス位置までのフォーカスレンズ２の移動が完了すると、ズーム／フォーカス制御部１６は、ステップＳ７０２においてレンズ敏感度データ保持部１４から現在のズーム位置およびフォーカス位置に対応するレンズ敏感度の情報を取得する。上述したように、レンズ敏感度データ保持部１４は、特定フォーカス位置以外の他のフォーカス位置については、該他のフォーカス位置に近い２つの特定フォーカス位置に対応するレンズ敏感度のうち大きい方をズーム／フォーカス制御部１６に渡す。
【００３７】
次にステップＳ７０３では、ズーム／フォーカス制御部１６は、がたデータ保持部１３から最大がた量の情報を取得し、先に説明した式（１）を用いてピントずれ量を算出する。また、ステップＳ７０４およびステップＳ７０５において、ズーム／フォーカス制御部１６は、被写界深度データ保持部１５から現在のズーム位置および絞り開放に対応する被写界深度を取得するとともに、絞りユニット３から現在の絞り値を取得する。
【００３８】
次にステップＳ７０６では、ズーム／フォーカス制御部１６は、先に説明した式（２）を用いて、現在のズーム位置およびフォーカス位置での被写界深度を求める。そして、ステップＳ７０３で算出したピントずれ量が被写界深度を超えているか否かを判定する。ピントずれ量が被写界深度を超えている場合は、ズーム／フォーカス制御部１６は、ステップＳ７０７に進み、登録フォーカス位置±ピントずれ量の範囲でフォーカスレンズ２を駆動するようＡＦ制御を行う。そして、ステップＳ７０９に進む。一方、ピントずれ量が被写界深度を超えていない場合は、ズーム／フォーカス制御部１６はステップＳ７０８に進み、ＡＦ制御を行わずに本処理を終了する。
【００３９】
ステップＳ７０９では、ズーム／フォーカス制御部１６は、ＡＦ制御において合焦位置を検出したか否かを判定し、合焦位置を検出した場合はステップＳ７１０において、フォーカス駆動部１７にフォーカスレンズ２を合焦位置に駆動させる。そしても本処理を終了する。一方、合焦位置を検出しなかった場合は、ズーム／フォーカス制御部１６はステップＳ７１１に進み、フォーカス駆動部１７にフォーカスレンズ２を元の位置である登録フォーカス位置に戻すように駆動させ、本処理を終了する。
【００４０】
本実施例によれば、レンズ停止位置誤差に起因してピントずれが発生する場合において、そのピントずれ量が一律ではなく、かつ撮像装置の姿勢を検出するセンサがなくても、被写体移りを抑制しつつ、ピントずれを良好に補正することができる。
【００４１】
なお、上述した撮像光学系の合焦被写体距離を保持するためのＡＦ制御を、ズームトラッキング制御が行われた（完了した）際に行うようにしてもよい。また、該ＡＦ制御を、ズーム倍率（ズーム位置）および合焦被写体距離（フォーカス位置）をそれぞれユーザが任意に登録したズーム倍率および被写体距離に固定するズーム／フォーカス固定モードが設定された際に行うようにしてもよい。また、ここまで説明したピントずれ量は、レンズ鏡筒が交換レンズである場合には、接続されているレンズの種別によっても変化するものである。
【００４２】
なお、また、ここまで説明したピントずれ量は、レンズ鏡筒が交換レンズである場合には、接続されているレンズの種別によっても変化するものである。レンズ敏感度や最大がた量はレンズ種別によって変動するためである。
【実施例２】
【００４３】
図８のフローチャートは、本発明の実施例２である撮像装置のズーム／フォーカス制御部１６が行うＡＦ制御処理の流れを示している。本実施例では、ピント位置固定モードにおいて撮像装置のレンズ鏡筒に動きが生じた場合のＡＦ制御処理について説明する。レンズ鏡筒の動きとは、レンズ停止位置誤差に影響する動き、例えばパン動作、チルト動作およびズーム動作がある。本実施例の撮像装置の構成は、実施例１の撮像装置の構成と同様であり、実施例１と共通する構成要素には実施例１と同符号を付す。
【００４４】
レンズ鏡筒の動きは、ユーザが監視モニタ装置１９から通信部１０を介してズーム／フォーカス制御部１６に対してパン動作、チルト動作またはズーム動作の開始／停止指示を送信することで開始されたり停止されたりする。ズーム／フォーカス制御部１６は、パン動作、チルト動作またはズーム動作が停止されたタイミングでＡＦ制御を開始する。
【００４５】
図８のステップＳ８０１では、ズーム／フォーカス制御部１６は、レンズ鏡筒の動きが停止中か否かを判定する。停止中でない場合、つまりはパン動作、チルト動作またはズーム動作中である場合は、ズーム／フォーカス制御部１６は、次のタイミング（例えば垂直同期タイミング）で再度ステップＳ８０１の判定を行う。一方、レンズ鏡筒の動きが停止中である場合は、ズーム／フォーカス制御部１６はステップＳ８０２に進み、ピント固定データ保持部１２からピント位置固定モードのオン／オフ状態を取得する。ピント位置固定モードがオフであればステップＳ８０９に進み、ＡＦ制御を行わずに本処理を終了する。一方、ピント位置固定モードがオンであれば、ズーム／フォーカス制御部１６はステップＳ８０３〜ステップＳ８１２の処理を行う。ステップＳ８０３〜ステップＳ８１２の処理は、図７に示したステップＳ７０２〜ステップＳ７１１の処理と同じである。
【００４６】
本実施例によれば、レンズ鏡筒の動きによってピントずれが発生する場合において、ピントずれ量が一律でなくても、被写体移りを抑制しつつピントずれを良好に補正することができる。
【実施例３】
【００４７】
図９は、本発明による実施例３である撮像装置の構成を示している。本実施例では、温度によるピントずれを補正するＡＦ制御について説明する。本実施例の撮像装置において、実施例１の撮像装置と共通する構成要素には実施例１と同符号を付す。
【００４８】
実施例１と同様に、撮像光学系は、光軸方向に移動して焦点距離を変更する変倍レンズ１と、光軸方向に移動して焦点調節を行うフォーカスレンズ２と、光量を調整する絞りユニット３とを有する。撮像光学系を通過した光は、バンドパスフィルタ（以下、ＢＰＦという）４およびカラーフィルタ５を介して撮像素子６上に光学像としての被写体像を形成する。ＢＰＦ４は撮像光学系の光路に対し進退可能である。被写体像は、撮像素子６により光電変換される。撮像素子６から出力されたアナログ電気信号（撮像信号）は、ＡＧＣ７によりゲイン調整され、Ａ／Ｄ変換器８によりデジタル信号に変換された後、カメラ信号処理部９に入力される。カメラ信号処理部９では、デジタル撮像信号に対して各種画像処理を行って映像信号を生成する。映像信号は、通信部１０を介して撮像装置に有線または無線通信により接続された監視モニタ装置１９に出力されるとともに、撮像装置内のズーム／フォーカス制御部１６に出力される。ズーム／フォーカス制御部１６は、ズーミング時に後述する電子カム曲線のデータを用いてズームトラッキング制御を行うとともに、映像信号から算出したその映像信号のコントラスト状態を示すコントラスト評価値を用いてオートフォーカス（ＡＦ）制御を行う。ズーム／フォーカス制御部１６は、制御手段を含むフォーカス制御装置に相当する。
【００４９】
温度検出手段としての温度検出部２２は、撮像装置のレンズ鏡筒（撮像光学系）の温度を検出する。ズーム／フォーカス制御部１６は、所定時間ごとに温度検出部２２を通じて温度の情報を取得し、温度の変化を監視する。温度検出部２２としては、サーミスタ等の温度センサが用いられる。
【００５０】
補正基準データ保持部２３は、レンズ鏡筒の設計値や実測値の統計データから算出した単位温度あたりのピント補正量である基準ピント補正量を格納している。この基準ピント補正量に基準温度（例えば、工場で組み立てたときの温度）からの温度変化量を乗算することで、実際の温度に対するピント補正量である温度ピント補正量を算出する。レンズ鏡筒の温度に応じたピント補正である温度ピント補正の方向や量は、レンズ鏡筒の個体ばらつきを含めても範囲を絞ることができる。このため、平均的なデータを使用した温度ピント補正を行うことで、温度変化によるピントずれ（以下、温度ピントずれという）を低減することができる。
【００５１】
補正基準データ保持部２３は、基準ピント補正量のデータを、実施例１で説明した電子カムデータと同様に、複数の特定被写体距離のそれぞれについてズーム位置ごとに保持する。そして、特定被写体距離以外の他の被写体距離での基準ピント補正量は、該他の被写体距離に近い至近側と無限遠側の２つの特定被写体距離に対応する基準ピント補正量を用いた補間処理により算出する。
【００５２】
このように、個体ばらつきによる温度ピントずれが許容錯乱円の範囲に収まるレンズ鏡筒では、この基本的な温度ピント補正（第１の温度ピント補正：以下、基本温度ピント補正という）のみで温度ピントずれを十分に抑制することができる。一方、レンズ鏡筒の個体ばらつきによる温度ピントずれが許容錯乱円の範囲に収まらないレンズ鏡筒では、基本温度ピント補正に加えて個体ばらつきによる温度ピントずれの補正（第２の温度ピント補正：以下、個体温度ピント補正という）も行う。
【００５３】
図１０には、ズーム／フォーカス駆動部１７が基本温度ピント補正に加えて行う個体温度ピント補正の例を示している。個体温度ピント補正を行うためには、レンズ鏡筒の所定の温度変化を検出するごとに、フォーカスレンズ２の移動範囲であるサーチ範囲を制限したＡＦ制御を行う。図１０の横軸は温度変化量［℃］を示し、縦軸はフォーカス位置を示す。
【００５４】
Ｔ１００は基本温度ピント補正におけるピント補正量である基本温度ピント補正量を示し、温度の変化とともに基本温度ピント補正量が増加し、基本温度ピント補正後のフォーカス位置も変化する。Ｔ１はユーザが固定したピント位置に相当するフォーカス位置を示し、ここではその時点の温度を基準温度とする。
【００５５】
Ｔ２は温度が所定温度変化量としての５℃だけ変化した時点での基本温度ピント補正後のフォーカス位置を示す。Ｔ２から上下に延びる矢印は、Ｔ２を中心として個体温度ピント補正を行うためのＡＦ制御におけるサーチ範囲を示す。５℃等のように所定温度変化量を小さく設定することで、１回あたりのサーチ範囲を狭くすることができ、被写体移りを抑制することができる。なお、ここでは所定温度変化量を５℃に固定した場合について説明するが、温度変化の勾配（変化率）に応じて変更してもよい。
【００５６】
これは温度変化が緩やかな場合と、急な場合とではレンズの伸び縮みに差があるためであり、レンズ毎に傾向が異なる。天候が変わらない環境では１時間あたりの温度変化量が１℃前後の地域でも、天候が急に変わると温度変化量は急激に変化する。そこで、例えば３０分当たりの温度変化量を記憶しておき、その間に３℃の変化があった場合は、個体温度ピント補正を行うためのＡＦ制御を実施する事で、精度の良い補正を行うことができる。
【００５７】
また、所定温度変化量はレンズの種別、変倍率に応じて変更してもよい。具体的には、単位温度あたりのピントずれ量が少ないレンズの種別や変倍率では、所定温度変化量を大きくする。単位温度あたりのピントずれ量が大きいレンズの種別や変倍率では、所定温度変化量を小さくする。これにより、個体温度ピント補正の実行回数を過不足なく最適化できる。
【００５８】
また、サーチ範囲についても、電子カムデータの傾き、レンズ鏡筒のチルト角度（傾き角度）や積算レンズ駆動回数に応じて変更してもよい。電子カムデータはズームレンズとフォーカスレンズの位置関係を示すものであるため、レンズが伸び縮みした時の影響度合いを推定できる要素の１つである。
【００５９】
図２からわかるように、ズーム位置と被写体距離によってカーブの傾きが異なる。カーブの傾きが大きいほど、少しの位置変化で合焦位置が大きく変化するため、サーチ範囲を広げた方が補正残りのリスクを減らすことができる。カーブの傾きが小さい場合は、サーチ範囲を狭めても補正が可能となる。レンズ鏡筒のチルト角度に関しては、レンズと鏡筒の向きが変化するため、熱のこもり方の変化や重力による影響を受ける。レンズ鏡筒の設計に合わせて、チルト角度毎のサーチ範囲をデータテーブルとして保持する事で、最適な補正を行う事ができる。積算レンズ駆動回数はレンズを駆動させる度にカウントアップしていくもので、通算でどの程度レンズを駆動させたかがわかる。レンズ鏡筒の設計や素材によっては、負荷の蓄積や経年劣化によってレンズのズレ量が大きくなるケースがある。そのようなレンズ種別の場合、積算レンズ駆動回数が一定数を超える毎に、サーチ範囲を広げていく事で、精度の良い補正を行う事ができる。Ｔ３はＴ２を中心としたサーチ範囲でのＡＦ制御により合焦状態が得られたときのフォーカス位置を示す。ここでは、基本温度ピント補正に加えて至近（ＮＥＡＲ）側に個体温度ピント補正されたフォーカス位置を示している。Ｔ４はＴ３にフォーカス位置が移動した後にさらに５℃だけ温度が変化した（基準温度から１０℃変化した）ときの基本温度ピント補正後のフォーカス位置を示す。Ｔ４から上下に延びる矢印は、Ｔ４を中心として個体温度ピント補正を行うためのＡＦ制御におけるサーチ範囲を示す。Ｔ５はＴ４を中心としたサーチ範囲でのＡＦ制御により合焦状態が得られたときのフォーカス位置を示す。基準温度から１０℃変化した時点でのサーチ範囲は、基準温度から５℃変化した時点でのサーチ範囲に比べてＮＥＡＲ側に変化している。
【００６０】
Ｔ１からＴ２への基本温度ピント補正量、Ｔ２からＴ３への個体温度ピント補正の補正量（以下、個体温度ピント補正の補正量という）、Ｔ３からＴ４への基本温度ピント補正量およびＴ４からＴ５への個体温度ピント補正量は、補正値蓄積部２４にて蓄積される。以下の説明において、これら基本および個体温度ピント補正量の蓄積値を蓄積補正量という。
【００６１】
駆動リミットデータ保持部２５は、個体温度ピント補正量の上下限値を駆動リミット量（移動リミット位置）のデータとして保持する。駆動リミット量は、撮像範囲内で設定された合焦状態を得たい領域（ＡＦ領域）が本来の合焦対象となる被写体からずれたような場合であっても、被写体移りを防ぐために用いられる。図１０では、Ｔ１０１が個体温度ピント補正量の上限値を、Ｔ１０２がその下限値を示す。
【００６２】
Ｔ６は温度が基準温度から２０℃だけ変化した時点での個体温度ピント補正量の上限値Ｔ１０１の付近のフォーカス位置を示している。このＴ６からサーチ範囲を制限したＡＦ制御を行う場合には、ＮＥＡＲ側のサーチ範囲はＴ１０１で制限される。つまり、基準温度から２０℃変化した時点でのサーチ範囲は、基準温度から１０℃変化した時点でのサーチ範囲に比べてＮＥＡＲ側に変化している。さらに、基準温度から２０℃変化した時点でのＮＥＡＲ側のサーチ範囲は、基準温度から１０℃変化した時点でのＮＥＡＲ側のサーチ範囲に比べて狭くなっている。駆動リミット量はズーム位置および合焦被写体距離のうち少なくとも１つに応じて可変とすることができる。これは被写体移りが発生するリスクが、被写体までの距離が遠ければ遠いほど高くなるためである。例えば４ｍ先の被写体を基準として、サーチ範囲のリミットを最大１５ｃｍになるような深度で制限した場合、同様の深度で１００ｍ先の被写体を基準にすると最大４０ｍのリミットになってしまう。そのため、ズーム位置と被写体距離に応じたリミットをテーブルで保持する事で、より精度の高い補正を行う事ができる。
【００６３】
このように、本実施例では、基準温度からの温度変化量に応じて制限したサーチ範囲内でフォーカスレンズ２を移動させるＡＦ制御を行う。これにより、被写体移りを抑制しつつ、温度変化によるピントずれを良好に補正することができる。
【００６４】
なお、補正値蓄積部２４での蓄積補正量は、ユーザの操作に応じてＡＦ制御が行われた場合とパン／チルト動作が行われた場合にリセットされる。これはピント位置が変更されたと判断できるためである。
【００６５】
また、ズーム／フォーカス制御部１６がサーチ範囲を制限したＡＦ制御を行わなくてもよい場合がある。第１に、絞り値が所定絞り値より小さく小絞り状態にあり、個体ばらつきによるピントずれが被写界深度内でしか生じない場合である。第２に、撮像素子のゲインが所定レベルより高くて撮像信号のノイズ量が多く、ＡＦ精度が低い場合である。第３に、低コントラストの被写体を撮像したり何らかの障害物が撮像装置の前を遮ったりして、ＡＦ制御に用いるコントラスト評価値が所定評価値より低い場合である。
【００６６】
また、動きのない被写体を長時間監視するような場合には、前回ＡＦ制御を行った時点での温度を記憶しておき、その温度からの所定の温度変化を検出したときに再度ＡＦ制御を行うようにしてもよい。
【００６７】
図１１を用いて、上述した基本温度ピント補正および個体温度ピント補正と電子カム曲線（電子カムデータ）との関係について説明する。横軸はズーム位置を、縦軸はフォーカス位置を示す。Ｒ１は被写体距離ごとの設計値データとして保持されている複数の電子カムデータのうちある１つの被写体距離に対応する電子カムデータ（以下、基準カムデータという）を示す。Ｒ２は基準カムデータＲ１に基本温度ピント補正を加えることで生成された電子カムデータ（以下、基本温度補正カムデータという）を示す。基本温度ピント補正量は、ズーム位置や被写体距離で異なるが、一般にはテレ側で大きく、ワイド側ほど小さくなる。Ｒ３は基本温度補正カムデータＲ２に個体温度ピント補正を加えることで生成された電子カムデータ（以下、個体温度補正カムデータという）を示す。
【００６８】
補正値蓄積部２４は、テレ端以外の各ズーム位置で被写体距離ごとにサーチ範囲を制限したＡＦ制御により個体温度ピント補正を行ったときの個体温度ピント補正量を、テレ端での補正量に換算したテレ換算補正量のデータとして保持する。そして、その保持したテレ端換算補正量から実際のズーム位置に応じた個体温度ピント補正量を算出する。このズーム位置に応じた個体温度ピント補正量は、テレ端と実際のズーム位置とでの温度ピント補正量の比をテレ換算補正量に乗じることで算出することができる。
【００６９】
なお、図２に示した電子カムデータから分かるように、ワイド端付近では至近側以外の被写体距離でのフォーカス位置が１つの位置に密集している。このため、ワイド端付近で至近側以外の被写体距離に対してＡＦ制御を行うと、被写体移りが発生しやすい。したがって、ズーム倍率がテレ端とワイド端の間の所定ズーム倍率Ｌより小さい場合は、個体温度ピント補正を行わずに、基本温度ピント補正のみを行うようにしてもよい。これにより、基本および個体温度ピント補正を行いながらも、精度良くズームトラッキング制御を行うことができる。
【００７０】
図１２のフローチャートには、ズーム／フォーカス制御部１６が実施例１で説明したピント位置固定モードにおいて行うＡＦ制御処理（フォーカス制御方法）の流れを示している。コンピュータであるズーム／フォーカス制御部１６は、コンピュータプログラムとしてのフォーカス制御プログラムに従って本処理を実行する。
【００７１】
ステップＳ１２０１では、ズーム／フォーカス制御部１６は、ピント位置固定モードが設定されているか否かを判定する。ピント位置固定モードが設定されていれば、ズーム／フォーカス制御部１６はステップＳ１２０４に進む。一方、ピント位置固定モードが設定されていなければ、ズーム／フォーカス制御部１６はステップＳ１２０２に進み、監視モニタ装置１９を通じてユーザからピント位置固定モードの設定が指示されるまでステップＳ１２０１に戻る。ステップＳ１２０２においてピント位置固定モードの設定が指示されると、ズーム／フォーカス制御部１６は、ピント位置固定モードを設定し、ステップＳ１２０３にて温度検出部２２から現在の温度ｔ１を取得する。そして、ステップＳ１２０４に進む。なお、ＳＴＡＲＴ時点でピントが固定モードの場合、ｔ１は撮像装置が起動した時の温度で初期化される。
【００７２】
ステップＳ１２０４では、ズーム／フォーカス制御部１６は、温度検出部２２から現在の温度ｔ２を取得する。そして、ステップＳ１２０５では、ズーム／フォーカス制御部１６は、Ｓ１２０３で取得した温度ｔ１とＳ１２０４で取得した温度ｔ２との差である温度変化量が所定温度以上か否かを判定する。所定温度は、例えば上述した５℃である。温度変化量が所定温度未満である場合は、ズーム／フォーカス制御部１６はステップＳ１２０４に戻り、温度変化量が所定温度以上になるまで温度ｔ２を取得し続ける。一方、温度変化量が所定温度以上である場合は、ズーム／フォーカス制御部１６はステップＳ１２０６に進み、温度検出部２２から現在の温度を再度取得してその温度で温度ｔ１を更新する。そして、ステップＳ１２０７において、ズーム／フォーカス制御部１６は、温度変化量に応じてサーチ範囲を制限する。このとき、ズーム／フォーカス制御部１６は、補正値蓄積部２４から蓄積補正量を取得するとともに、駆動リミットデータ保持部２５から駆動リミット量を取得する。ズーム／フォーカス制御部１６は、蓄積補正量にサーチ範囲の初期値を加算した駆動量が駆動リミット量を超える場合は、駆動量を駆動リミット量に制限するようにサーチ範囲を再設定する（狭める）。
【００７３】
次にステップＳ１２０８において、ズーム／フォーカス制御部１６は、ステップＳ１２０７にて設定されたサーチ範囲で個体温度ピント補正のためのＡＦ制御を実行する。そして、ステップＳ１２０９においてＡＦ制御が完了したか否かを判定し、完了した場合はステップＳ１２１０に進む。
【００７４】
ステップＳ１２１０では、ズーム／フォーカス制御部１６は、サーチ範囲を初期値に戻す。次に、ステップＳ１２１１において、ズーム／フォーカス制御部１６は、ＡＦ制御によるフォーカス位置の補正量を補正値蓄積部２４に伝える。補正値蓄積部２４は、この補正量を蓄積補正値に加算することで蓄積補正量を更新する。そして、ズーム／フォーカス制御部１６は、本処理を終了する。
【００７５】
本実施例によれば、レンズ鏡筒の温度変化によるピントずれが発生する場合において、ピントずれ量が一律でなくても、被写体移りを抑制しつつ良好にピントずれを補正することができる。
【００７６】
なお、本実施例では、ズームトラッキング制御とは別に温度ピント補正のためのＡＦ制御を行う場合について説明した。しかし、図１１を用いて説明したように電子カムデータを温度に応じて補正した個体温度補正カムデータを生成し、個体温度補正カムデータを用いて基本および個体温度ピント補正によるフォーカスレンズの移動を含むようにズームトラッキング制御を行ってもよい。
【実施例４】
【００７７】
図１３は、本発明による実施例４である撮像装置の構成を示している。本実施例の撮像装置は実施例３の撮像装置と同じ構成を有しており、実施例３の撮像装置と共通する構成要素には実施例３と同符号を付す。
【００７８】
本実施例の撮像装置には、温度補正設定装置３０が有線または無線通信可能に接続されている。温度補正設定装置３０はユーザが選択した温度ピント補正の方法（温度ピント補正モード）を通信部１０を介してズーム／フォーカス制御部１６に伝えて該選択された温度ピント補正モードをズーム／フォーカス制御部１６（つまりは撮像装置）に対して設定する。温度補正設定装置３０は、温度ピント補正モードの選択だけでなく、ズーム制御やＡＦ制御等に関する設定をユーザに行わせるための装置である。なお、温度補正設定装置３０が監視モニタ装置１９に含まれてもよい。
【００７９】
図１４は、温度補正設定装置３０に表示される温度ピント補正モードの設定メニュー画面の例を示す。設定メニュー画面（選択手段）１４０１上では、複数の温度ピント補正モード（「温度変化時のフォーカス補正」）が選択できるようになっている。ここでは、複数の温度ピント補正モード（複数種類の温度ピント補正）として、「基準データによる補正」１４０２、「フォーカスサーチによる補正」１４０３、「基準データ＋フォーカスサーチによる補正」１４０４および「補正しない」１４０５の４つが選択できる。
【００８０】
「基準データによる補正」が選択されると、ズーム／フォーカス制御部１６は、実施例３で説明した基本温度ピント補正（第１の温度ピント補正）を行う。この補正モードは、個体ばらつきが少ない撮像装置を使用する場合や、絞りを常に小絞り状態にして撮像装置を使用する場合に選択される。
【００８１】
「フォーカスサーチによる補正」が選択されると、ズーム／フォーカス制御部１６は、実施例３で説明した個体温度ピント補正（第２の温度ピント補正）を行う。この補正モードは、個体ばらつきが多い撮像装置を使用する場合や、絞りを常に開放状態にして撮像装置を使用する場合に選択される。
【００８２】
「基準データ＋フォーカスサーチによる補正」が選択されると、ズーム／フォーカス制御部１６は、基本温度ピント補正と個体温度ピント補正とを含む温度ピント補正（第３の温度ピント補正）を行う。
【００８３】
本補正モードでは基本温度ピント補正を行う分、「フォーカスサーチによる補正」と比べて個体温度ピント補正を実行する際の温度ピントずれが少ない。そのため、個体温度ピント補正のサーチ範囲を狭めてもよい。これにより、被写体移りを抑制しつつ温度ピントずれを良好に補正することができる。あるいは、個体温度ピント補正を実行する温度変化量を大きくしてもよい。これにより、個体温度ピント補正を実行する回数を削減でき、被写体移りの抑制、耐久向上が期待できる。
【００８４】
「補正しない」が選択されると、ズーム／フォーカス制御部１６は、基本温度ピント補正も個体温度ピント補正も行わない。この補正モードは、絞りを常に開放側にする等して温度によるピントずれを無視できる条件で撮像装置を使用し、かつ撮像装置におけるフォーカス駆動の耐久性を考慮するような場合に選択される。
【００８５】
ユーザは温度ピント補正モードを選択した上で設定ボタン（「設定を保存」）１４０６を押す。これにより、温度ピント補正モードが確定し、確定した温度ピント補正モードの情報がズーム／フォーカス制御部１６に送信される。ズーム／フォーカス制御部１６は、受信した温度ピント補正モードに従って温度ピント補正を実行する。「基準データ＋フォーカスサーチによる補正」が選択された場合は、図１２で説明した全てのステップの処理を実行し、他の補正モードが選択された場合はそれぞれに必要のないステップの処理はスキップする。
【００８６】
図１５のフローチャートには、温度補正設定装置３０が撮像装置に対して温度ピント補正モードを設定する処理の流れを示している。コンピュータ（設定手段）を含む温度補正設定装置３０は、コンピュータプログラムである温度補正設定プログラムに従って本処理を実行する。
【００８７】
ステップＳ１５０１において、撮像装置（以下、カメラという）との接続（通信）を確立する。そして、ステップＳ１５０２では、温度補正設定装置３０は、カメラからレンズ情報を取得する。レンズ情報は、レンズ鏡筒が交換レンズである場合にこれがカメラに装着されているか否かを示す情報や、カメラまたは交換レンズに設けられた後述するフォーカスモード切替えスイッチにおけるＭＦモード／ＡＦモードの設定を示す情報である。以下では、レンズ鏡筒が交換レンズである場合について説明する。
【００８８】
図１６は、フォーカスモード切替えスイッチ１６０１を示している。１６０２はＡＦモードとＭＦモードを切り替えるための操作部である。操作部が「ＡＦ」１６０３にあればカメラはＡＦモードで動作し、「ＭＦ」１６０４にあればＭＦモードで動作する。
【００８９】
次に、ステップＳ１２０３において、温度補正設定装置３０は、カメラから取得したレンズ情報に基づいて、交換レンズがカメラに装着されているか否かおよびフォーカス切替えスイッチがＭＦモードに設定されているか否かを確認する。交換レンズがカメラに装着されていない場合やフォーカスモード切替えスイッチがＡＦモードに設定されている場合は、温度補正設定装置３０は、ステップＳ１５０６に進む。ステップＳ１５０６では、温度補正設定装置３０は、温度ピント補正モード設定用のメニュー画面を非表示にして（つまりは温度ピント補正を行わない設定をして）、本処理を終了する。
【００９０】
ＡＦモードが設定されている場合は、被写体の変化によってＡＦ制御が再起動されるため、温度補正用のＡＦ制御は基本的には不要になる。ただし、レンズの種類によってはＡＦモードでも温度ピント補正が必要な場合もあるため、温度ピント補正をＭＦモードでのみ実行するように制限する必要はない。また、ＭＦモードをピント位置を固定するためのモードとして使用されるカメラまたは交換レンズでは、ＡＦモードでのみ温度ピント補正を実行可能である場合もあるため、この場合はＡＦモードが設定されている場合にのみ温度ピント補正を行うようにしてもよい。
【００９１】
ステップＳ１５０３において交換レンズがカメラに装着され、かつフォーカスモード切替えスイッチがＭＦモードに設定されている場合は、温度補正設定装置３０は、ステップＳ１５０４に進む。ステップＳ１５０４では、温度補正設定装置３０は、その交換レンズが温度ピント補正モードの切替えに対応しているか否かを確認する。交換レンズが温度ピント補正モードの切替えに対応していない場合は、温度補正設定装置３０はステップＳ１５０６を経て本処理を終了する。一方、交換レンズが温度ピント補正モードの切替えに対応している場合は、温度補正設定装置３０はステップＳ１５０５に進み、温度ピント補正モード設定用のメニュー画面を表示する。
【００９２】
なお、交換レンズが上述した４つの温度ピント補正モードの一部（少なくとも１種類）にしか対応していない場合は、対応していない項目は非表示としたり選択不可を示すように表示したりする。
【００９３】
ステップＳ１５０７においてユーザが温度ピント補正モードを選択／確定すると、温度補正設定装置３０は、確定した温度ピント補正モードをズーム／フォーカス制御部１６に送信して確定した温度ピント補正モードをズーム／フォーカス制御部１６に設定する。ズーム／フォーカス制御部１６は、設定された温度ピント補正モードに従って温度ピント補正を実行する。これにより、交換レンズの温度変化によるピントずれが発生する場合に、設置環境やカメラの設定に合わせて最適な温度ピント補正を行うことができる。
【実施例５】
【００９４】
本実施例は、実施例３同様、温度によるピントずれを補正するＡＦ制御に関し、具体的には、個体温度ピント補正の精度向上や合焦時間短縮を行うものである。
【００９５】
実施例５における撮像装置の構成は実施例３と同様のため説明を省く。
【００９６】
実施例３の個体温度ピント補正において、ＡＦ駆動開始方向を既定の方向することもできるが、補正方向を推定できると、より好ましい方向からＡＦ駆動を開始することができるため、短時間で高精度なＡＦ制御が可能である。なお、本実施例で補正方向は、フォーカスレンズのＡＦ制御開始位置を起点とした場合の合焦位置の方向である。
【００９７】
本実施例では、ＡＦ制御の方式として、フォーカスレンズをウォブリングさせながらコントラストが高くなる方向へ駆動させるウォブリング方式と、サーチ範囲の端から端まで駆動させ、コントラストが最大となる位置で停止させるスキャン方式とを例に考える。
【００９８】
図１７は、補正方向と反対方向へフォーカスレンズを駆動した場合と補正方向へフォーカスレンズを駆動した場合のＡＦ制御を、（ａ）（ｂ）はウォブリング方式、（ｃ）（ｄ）はスキャン方式の場合について比較し示したものである。Ｐ１はＡＦ制御開始位置を示し、Ｐ２は合焦位置を示す。
【００９９】
ウォブリング方式では、図１７（ａ）に示すように補正方向と逆方向へＡＦ駆動を開始した場合、反転動作が発生する。このため、合焦位置にフォーカスレンズを駆動しＡＦ制御を終了までに時間がかかる。一方、図１７（ｂ）に示すように補正方向へＡＦの駆動を開始することができれば反転動作が発生することはないため、図１７（ａ）の場合と比較してより短い合焦時間でＡＦ制御を行うことができる。
【０１００】
スキャン方式では、図１７（ｃ）に示すように補正方向へＡＦ駆動を開始した場合、スキャン終了後にスキャン終了位置（Ｎｅａｒ  Ｌｉｍｉｔに相当する位置）から合焦位置までフォーカスレンズを駆動する必要があるため、当該駆動に相当する時間の分ＡＦ制御終了までの時間がかかる。また合焦駆動の距離が長いほど、レンズの駆動特性によっては停止誤差が発生しやすくなる。一方、図１７（ｄ）に示すように補正方向と逆方向へＡＦ駆動を開始するこができれば、スキャン終了位置から合焦位置までの距離をより短くすることができるため、合焦時間を短縮することができる。また、停止誤差が減少するため、より高精度にＡＦ制御を行うことできる。また、総駆動量を抑えることができるため、耐久性向上にも寄与する。
【０１０１】
以上説明したように、ウォブリング方式とスキャン方式とでは、補正方向に対してフォーカスレンズの駆動を開始すべき方向が異なる。そこで、本実施例では、ズーム／フォーカス制御部１６がフォーカスレンズの駆動を開始する方向をＡＦ制御の方式に応じて制御する。
【０１０２】
図１８は、個体温度ピント補正における補正方向を推定する方法を説明する図である。横軸は温度変化量［℃］、縦軸はフォーカス位置、Ｔ１８０は基本温度ピント補正におけるピント補正量を示す。Ｐ１はユーザが固定したピント位置に相当するフォーカス位置を示し、ここではその時点の温度を基準温度とする。Ｐ２、Ｐ３は温度がそれぞれ基準温度から＋５℃、−５℃だけ変化し、個体温度ピント補正を開始する時点でのフォーカス位置を示す。Ｐ４、Ｐ５は温度が＋５℃だけ変化したときの実際の合焦位置例を示し、Ｐ６、Ｐ７は温度が−５℃だけ変化したときの実際の合焦位置例を示す。図１８（ａ）は基本温度ピント補正を行う場合、図１８（ｂ）は基本温度ピント補正を行わない場合を示す図である。
【０１０３】
図１８（ａ）では基本温度ピント補正を行うため、Ｐ２、Ｐ３は、Ｔ１８０に沿ったフォーカス位置に変化している。このとき温度ピントずれは最小限に抑えられている一方、Ｐ２からＰ４、Ｐ５への方向、またＰ３からＰ５、Ｐ６への方向が同一でないため、個体温度ピント補正を行うときの補正方向を推定することができない。
【０１０４】
図１８（ｂ）では基本温度ピント補正を行わないため、Ｐ２、Ｐ３は、Ｐ１から変化していない。このとき温度ピントずれが発生する一方、Ｐ２からＰ４、またはＰ５への方向は同一である。また、Ｐ３からＰ５またはＰ６への方向は同一である。つまり、実際のフォーカス位置に対する合焦位置の方向が同一である。この特徴に基づいて、個体温度ピント補正時の補正方向を推定することができる。
【０１０５】
そこで、本実施例では、基本温度ピント補正を行わず、固体温度ピント補正のための補正方向の推定を行う。
【０１０６】
図１９のフローチャートを用いて、本実施例の処理を説明する。なお、実施例３の図１２と同様部分は同符号を付し、説明を省略する。
【０１０７】
Ｓ１２０５で温度変化量が所定以上と判断された場合、Ｓ１９０１にてズーム／フォーカス制御部１６が補正方向を推定する。補正方向は、温度ｔ１と温度ｔ２との差の符号（温度変化方向）と補正基準データ保持部２３で持っている基準ピント補正量と、から推定できる。
【０１０８】
補正方向の推定方法の一例を説明する。図１８（ｂ）で説明したように、実際のフォーカス位置（Ｐ３）に対する合焦位置の方向が同一である。具体的には、温度変化方向が低下の方向である場合（温度ｔ１と温度ｔ２との差の符号が−の場合）には、現在のフォーカス位置からＦＡＲ側（無限側）が合焦位置の方向となるような温度ピントずれが生じている。一方、温度変化方向が上昇の方向である場合（温度ｔ１と温度ｔ２との差の符号が−の場合）には、現在のフォーカス位置からＮＥＡＲ側（至近側）が合焦位置の方向となるように温度ピントずれが生じている。そこで、本実施例では、温度変化方向が低下の方向である場合には、補正方向は無限側であるとズーム／フォーカス制御部１６が判断する。温度変化方向が上昇の方向である場合には、補正方向は至近側であるとズーム／フォーカス制御部１６が判断する。
【０１０９】
続くＳ１９０２にて、Ｓ１９０１で推定した補正方向に基づき、Ｓ１２０８で実施される温度ピント補正ＡＦの駆動開始方向を決定する。駆動開始方向は、ここでは、図１７で説明した通り、ＡＦ制御方式に合わせた駆動開始方向になるように決定する。すなわち、ウォブリング方式であると判断された場合には、補正方向へとフォーカスレンズを駆動するようズーム／フォーカス制御部１６が制御する。スキャン方式であると判断された場合には、補正方向へと反対方向へフォーカスレンズを駆動するようズーム／フォーカス制御部１６が制御する。Ｓ１９０１以降は、実施例３の図１２と同ステップをたどり、本処理を終了する。ただし、Ｓ１２０７で設定されるサーチ範囲は、推定した補正方向に応じて、変化させてもよい。すなわち、補正方向が無限側であると判断した場合には、無限方向へのサーチ範囲を大きく設定し、至近方向のサーチ範囲を小さく設定する。補正方向が至近側であると判断した場合には、無限方向へのサーチ範囲を小さく設定し、至近方向のサーチ範囲を大きく設定する。
【０１１０】
以上説明したように、本実施例によれば、基本温度ピント補正を行わずに個体温度ピント補正を行う場合において、補正方向を推定し、当該推定に基づいてＡＦ駆動方向を決定しフォーカスレンズを駆動する。これにより、個体温度ピント補正の精度向上することができる。また、合焦時間を短縮することができる。実施例４に記載の温度補正設定が「フォーカスサーチによる補正」となっている場合には、本実施例は有用である。
【０１１１】
なお、温度補正設定によって本実施例を用いるか否かを決定してもよい。具体的には、「フォーカスサーチによる補正」が選択されている場合には本実施例を用い、「基準データ＋フォーカスサーチによる補正」が選択されている場合には本実施例を用いない。
【０１１２】
また、これまで基本温度ピント補正を行わない例について説明したが、基本温度ピント補正を弱めて実行しても良い。このように基本温度ピント補正と個体温度ピント補正を両立する場合、補正方向は温度ｔ１と温度ｔ２との差の符号（温度変化方向）と、補正基準データ保持部２３が格納している基準ピント補正量から推定できる。基本温度ピント補正を弱めるほど、個体温度ピント補正時の補正方向の推定の確度は高くなる。このとき温度ピントずれと補正方向の確度はトレードオフの関係となるが、たとえば個体温度ピント補正を実行する温度変化量を小さくすることで、温度ピントずれを許容範囲としつつ、補正方向推定の確度を高めることができる。
【０１１３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【０１１４】
以上説明した各実施例は代表的な例にすぎず、本発明の実施に際しては、各実施例に対して種々の変形や変更が可能である。
【符号の説明】
【０１１５】
１  変倍レンズ
２  フォーカスレンズ
１６  ズーム／フォーカス制御部
【図１】
2018124527.tif 000003
【図２】
2018124527.tif 000004
【図３】
2018124527.tif 000005
【図４】
2018124527.tif 000006
【図５】
2018124527.tif 000007
【図６】
2018124527.tif 000008
【図７】
2018124527.tif 000009
【図８】
2018124527.tif 000010
【図９】
2018124527.tif 000011
【図１０】
2018124527.tif 000012
【図１１】
2018124527.tif 000013
【図１２】
2018124527.tif 000014
【図１３】
2018124527.tif 000015
【図１４】
2018124527.tif 000016
【図１５】
2018124527.tif 000017
【図１６】
2018124527.tif 000018
【図１７】
2018124527.tif 000019
【図１８】
2018124527.tif 000020
【図１９】
2018124527.tif 000021